(57)【要約】【課題】  収容した使用済品の汚物臭を消臭してカート周囲に臭気を漏洩させない小型軽量で低コストの衛生用品運搬カートを提供する。【解決手段】  衛生用品の使用済品と未使用品を区画した独立する空間にそれぞれ収容して運搬できるようにした衛生用品運搬カートにおいて、少なくとも使用済品の収容空間を構成するカート外面に消臭シート１２を面ファスナーで張設又はカーテン状に吊設し、同消臭シート１２でカートから漏洩する使用済品の臭気を消臭できるようにした。【選択図】図１
2005271746.tif 000002
【特許請求の範囲】
【請求項１】
衛生用品の使用済品と未使用品を区画した独立する空間にそれぞれ収容して運搬できるようにした衛生用品運搬カートにおいて、少なくとも使用済品の収容空間を構成するカート外面に電気・電子・光を使用しない消臭シートを脱着自在に張設し、カートから漏洩する使用済品の臭気を消臭できるようにしたことを特徴とする衛生用品運搬カート。
【請求項２】
カートの全側面に消臭シートを脱着自在に張設した請求項１記載の衛生用品運搬カート。
【請求項３】
消臭シートを面ファスナーで離着自在に張設した請求項１又は２記載の衛生用品運搬カート。
【請求項４】
カートの上部にレールを横方向に取り付け、消臭シートをレールに沿って幕引可能に張設した請求項１又は２記載の衛生用品運搬カート。
【請求項５】
消臭シートが、布状物を消臭組成物に浸漬又は両面にコーティングして両面に消臭機能を付与したものである請求項１〜４いずれか記載の衛生用品運搬カート。
【請求項６】
衛生用品の収容空間を構成するカートの外面をフレームを残すように大きく開口し、同開口を覆うように消臭シートを設け、同消臭シートの両面で収容空間の内外の臭気を脱臭できるようにした請求項１〜５いずれか記載の衛生用品運搬カート。
【請求項７】
使用済品の収容空間を構成するカートの一側面を開口し、同収容空間の床面に容器を設置する設置台を前記開口からカート外へ引き出し可能に設けた請求項１〜６いずれか記載の衛生用品運搬カート。
【請求項８】
使用済品の収容空間を構成するカートの天面を開口して扉を設け、同扉の裏面に消臭処理を施した請求項１〜７いずれか記載の衛生用品運搬カート。
【請求項９】
カートの外面に小物を収容する小物箱を備えた請求項１〜８いずれか記載の衛生用品運搬カート。
【発明の詳細な説明】
【技術分野】
【０００１】
本発明は、病院や福祉施設等において、患者や被介護者の未使用及び使用済のおむつやタオル等を分別して運搬する衛生用品運搬カートに関する。
【背景技術】
【０００２】
従来、病院や福祉施設等において、未使用のおむつやタオル等を運搬し、患者や被介護者のおむつを交換後、使用済のおむつやタオル等を回収して運搬する衛生用品運搬カートが特許文献１に開示されている。この技術は、カート内に汚物収容空間と清潔用品収容空間とを仕切って設け、使用済品の汚物が未使用品に付着することなく衛生的に運搬することを可能とするものである。
【０００３】
ところで、前記衛生用品運搬カートは使用済品を収容後開口を閉塞できるように構成されているが、汚物臭を完全に封止できず、臭気が外部へ漏れ出てしまう問題があった。
【０００４】
そこで、漏洩した臭気を脱臭できるようにした衛生用品運搬カートが特許文献２に開示されている。この技術は、コンプレッサの圧縮空気でおむつ収納部の開口にエアカーテンを形成することで臭気の漏洩を防止するものである。
【０００５】
しかしながら、前記技術は機器や配管及び駆動用の電源等様々な装置を必要とするから、高コストであるばかりかカートの重量増加で手押しに疲労を伴うとともに大型化により患者や被介護者のベッド際に近接できなくなる問題があった。
【特許文献１】実用新案登録第３０６９５９３号公報
【特許文献２】特開２００１−３４１６４８号公報
【発明の開示】
【発明が解決しようとする課題】
【０００６】
本発明が解決しようとする課題は、従来のこれらの問題点を解消し、収容した使用済品の汚物臭を消臭してカート周囲に臭気を漏洩させない小型軽量で低コストの衛生用品運搬カートを提供することにある。
【課題を解決するための手段】
【０００７】
かかる課題を解決した本発明の構成は、
１）  衛生用品の使用済品と未使用品を区画した独立する空間にそれぞれ収容して運搬できるようにした衛生用品運搬カートにおいて、少なくとも使用済品の収容空間を構成するカート外面に電気・電子・光を使用しない消臭シートを脱着自在に張設し、カートから漏洩する使用済品の臭気を消臭できるようにしたことを特徴とする衛生用品運搬カート
２）  カートの全側面に消臭シートを脱着自在に張設した前記１）記載の衛生用品運搬カート
３）  消臭シートを面ファスナーで離着自在に張設した前記１）又は２）記載の衛生用品運搬カート
４）  カートの上部にレールを横方向に取り付け、消臭シートをレールに沿って幕引可能に張設した前記１）又は２）記載の衛生用品運搬カート
５）  消臭シートが、布状物を消臭組成物に浸漬又は両面にコーティングして両面に消臭機能を付与したものである前記１）〜４）いずれか記載の衛生用品運搬カート
６）  衛生用品の収容空間を構成するカートの外面をフレームを残すように大きく開口し、同開口を覆うように消臭シートを設け、同消臭シートの両面で収容空間の内外の臭気を脱臭できるようにした前記１）〜５）いずれか記載の衛生用品運搬カート
７）  使用済品の収容空間を構成するカートの一側面を開口し、同収容空間の床面に容器を設置する設置台を前記開口からカート外へ引き出し可能に設けた前記１）〜６）いずれか記載の衛生用品運搬カート
８）  使用済品の収容空間を構成するカートの天面を開口して扉を設け、同扉の裏面に消臭処理を施した前記１）〜７）いずれか記載の衛生用品運搬カート
９）  カートの外面に小物を収容する小物箱を備えた前記１）〜８）いずれか記載の衛生用品運搬カート
にある。
【発明の効果】
【０００８】
本発明によれば、収容した使用済品の臭気がカート外に漏れ出ても消臭シートで消臭し、カートの操作者及び周囲の人に不快を与えず快適に使用できるようになる。また、従来のように機器や配管及び駆動用の電源が不要であるから低コストに製作でき、軽量で楽に手押しできるとともにベッド際など狭い場所でも容易に移動できる。
【発明を実施するための最良の形態】
【０００９】
本発明に用いる消臭シートは、ヒドラジン誘導体と金属フタロシアニン錯体とを含む消臭組成物を有する処理剤でポリエステル樹脂等の合成繊維を織成した不織布に浸漬又はコーティングにより担持させたもので、少なくとも使用済品収容空間を構成するカート外面又は全側面に面ファスナーによる張着やカーテンレールによる吊設で張設する。以下、本発明の各実施例を図面に基づいて具体的に説明する。
【実施例１】
【００１０】
図１〜４に示す実施例１は、消臭シートを面ファスナーで離着自在に張設した衛生用品運搬カートの例である。図１は実施例１の衛生用品運搬カートの外観図、図２は実施例１の衛生用品運搬カートの側面図、図３，４は実施例１の消臭シートの取り付けを示す説明図である。
【００１１】
実施例１の衛生用品運搬カート１は、図１，２に示すように車輪３及びブレーキ４を備えた樹脂製の台車上に防振ゴムを介して鋼製のキャビネット２を配設し、同キャビネット２の内部を前方に使用済品収容空間２ａと後方に未使用品のおむつやタオル等を収容する清潔空間２ｂとに区画し、使用済品収容空間２ａの側面はフレーム部分を残して大きな開放部２ｃを形成し、後方にはハンドル５及び使い捨てゴム手袋ホルダーやシャワーボトルを装備可能なサービスポケット６を取り付けている。
【００１２】
キャビネット２の前方は開口して使用済品収容空間２ａ内に配置するペール缶Ｂを引き出し可能にする設置台７をストッパ機構を備えたスライドレール７ａで移動自在に取り付け、その開口に開放部８ａが形成された扉８を横方向に開閉可能に枢支し、使用済品収容空間２ａの天面は開口して裏面に消臭処理が施された折り畳み式の扉９を取り付け、後方の清潔空間２ｂには小物等を収容する引き出し１０及び未使用のおむつやタオル等を収容するアクリル樹脂製のラック１１を引き出し可能に設けている。
【００１３】
消臭シート１２は、図３，４に示すようにポリエステル不織布シートにセバシン酸ジヒドラジドとコバルトフタロシアニン錯体とアクリル樹脂を含む消臭組成物からなる処理剤に浸漬して両面に消臭機能を付与したもので、裏面の周囲に面ファスナーのループ１２ａを貼り付けるとともに前記キャビネット２の開放部２ｃの外周面と扉８の表面側外周面に面ファスナーのフック１２ｂを貼り付け、消臭シート１２を面ファスナーで脱着自在に張設している。
【００１４】
この衛生用品運搬カート１の引き出し１０やラック１１に小物や紙おむつ，布おむつ，尿取りパッド等を収容するとともに使用済品収容空間２ａにビニル袋を取り付けたペール缶Ｂを２体収容し、ハンドル５を手押しして患者や被介護者のベッド際まで移動する。おむつ交換後は扉９を開放して使用済のおむつ及びタオルを各ペール缶Ｂへ分別して投下し、この作業を必要箇所巡回して行っていく。
【００１５】
このとき、ペール缶Ｂに収容した使用済品からは臭気が発散して使用済品収容空間２ａに充満し、ペール缶Ｂへの投下時や扉８，９の隙間から臭気が外部へ漏洩することがある。しかし、使用済品収容空間２ａの側面や扉８に張設した消臭シート１２が漏洩した臭気を両面で消臭し、衛生用品運搬カート１の操作者や周囲の人に不快を与えず快適に使用できるようになる。しかも、消臭シート１２は脱着自在であるから、使用後は洗浄して再使用し、消臭効果が低下した際は必要に応じて消臭組成物を含有した処理剤を吹き付けて回復させることもできる。
【実施例２】
【００１６】
図５〜７に示す実施例２は、消臭シートをカーテン状に張設した衛生用品運搬カートの例である。図５は実施例２の衛生用品運搬カートの外観図、図６は実施例２の消臭シートの吊設を示す説明図、図７は実施例２の衛生用品運搬カートの使用状態を示す説明図である。図中、１２ｃはレールである。
【００１７】
実施例２の衛生用品運搬カート１は、図５，６に示すようにキャビネット２の使用済品収容空間２ａを囲む前方及び側面上部にレール１２ｃを取り付け、前方開口部は扉８を省略して消臭シート１２を直接レール１２ｃに吊下し、側面に消臭シート１２を引き出し１０やラック１１を覆うように全面に吊下している。
【００１８】
使用する際は、図７に示すように各消臭シート１２をレール１２ｃに沿って幕引することで引き出し１０やラック１１を引き出しておむつやタオルを取り出したり、ペール缶Ｂの出し入れを行う。この衛生用品運搬カート１は実施例１と比較してより軽量で低コストに製作できるものである。その他、符号、構成、作用効果は実施例１と同じである。
【産業上の利用可能性】
【００１９】
本発明の衛生用品運搬カートは、病院や福祉施設等において、患者や被介護者のおむつ等の交換に用いられる。
【図面の簡単な説明】
【００２０】
【図１】実施例１の衛生用品運搬カートの外観図である。
【図２】実施例１の衛生用品運搬カートの側面図である。
【図３】実施例１の消臭シートの取り付けを示す説明図である。
【図４】実施例１の消臭シートの取り付けを示す説明図である。
【図５】実施例２の衛生用品運搬カートの外観図である。
【図６】実施例２の消臭シートの吊設を示す説明図である。
【図７】実施例２の衛生用品運搬カートの使用状態を示す説明図である。
【符号の説明】
【００２１】
１  衛生用品運搬カート
２  キャビネット
２ａ  使用済品収容空間
２ｂ  清潔空間
２ｃ  開放部
３  車輪
４  ブレーキ
５  ハンドル
６  サービスポケット
７  設置台
７ａ  スライドレール
８  扉
８ａ  開放部
９  扉
１０  引き出し
１１  ラック
１２  消臭シート
１２ａ  パイル
１２ｂ  フック
１２ｃ  レール
Ｂ  ペール缶
【図１】
2005271746.tif 000003
【図２】
2005271746.tif 000004
【図３】
2005271746.tif 000005
【図４】
2005271746.tif 000006
【図５】
2005271746.tif 000007
【図６】
2005271746.tif 000008
【図７】
2005271746.tif 000009